(57)【要約】【課題】小さな表示装置であっても必要な領域の画像を拡大表示して詳細に確認できるようにする。画像上の領域を変更して拡大表示する操作を容易に行える画像処理装置及び画像処理方法を提供することにある。【解決手段】画像比較手段１０２は、画像処理の結果が最も顕著に現れると判定される画像の一部分を拡大表示部分の位置に設定する。操作部材１０３は、表示装置１０１に表示される拡大表示の部分を変更する。拡大初期位置決定手段１０２は、画像比較手段で画像処理の結果が最も顕著に現れると判定される画像の一部分を拡大初期位置として決定する。画像表示制御手段１０２は、操作部材１０３を操作したときの操作量に対応して、画像比較手段を利用して画像処理の影響が大きいと判定された方から小さいと判定された方へかけて順番に拡大表示の部分が変遷するよう画像表示を制御する。【選択図】図１
2012084986.tif 000002
【特許請求の範囲】
【請求項１】
選択された画像加工方式で画像処理を行う画像処理手段と、
前記画像処理手段で画像処理後の画像の一部分を、表示装置に大きく表示する拡大表示手段と、
前記画像処理手段による画像処理の種類に応じて、画像処理の結果が最も顕著に現れると判定される画像の一部分を拡大表示部分の位置に設定する画像比較手段と、
前記表示装置に表示される拡大表示の部分を変更するために操作部材と、
前記画像比較手段で画像処理の結果が最も顕著に現れると判定される画像の一部分を拡大初期位置として決定する拡大初期位置決定手段と、
前記操作部材を操作したときの操作量に対応して、前記画像比較手段を利用して画像処理の影響が大きいと判定された方から小さいと判定された方へかけて、順番に拡大表示の部分が変遷するよう画像表示を制御する画像表示制御手段と、
を備えることを特徴とする画像処理装置。
【請求項２】
前記画像比較手段は、
前記画像処理手段による画像処理前の画像のデータと、画像処理後の画像のデータとを比較し、データの差分が最も大きい領域と判定される画像の一部分を拡大表示部分の位置に設定することを特徴とする請求項１記載の画像処理装置。
【請求項３】
前記画像表示制御手段は、
前記画像比較手段で拡大表示部分の位置が設定された後に、以前に拡大表示部分の位置として設定された領域を除いた領域から、再び前記画像処理手段により画像処理前の画像のデータと、画像処理後の画像のデータとを比較し、データの差分が最も大きい領域と判定される画像の一部分を拡大表示部分の位置に設定するという動作を繰り返して、画像処理の影響が大きいと判定された方から小さいと判定された方へかけて、順番に拡大表示の部分が変遷するよう画像表示の優先順位を決定することを特徴とする請求項２記載の画像処理装置。
【請求項４】
選択された画像加工方式で画像処理を行う画像処理ステップと、
前記画像処理ステップで画像処理後の画像の一部分を、表示装置に大きく表示する拡大表示ステップと、
前記画像処理ステップによる画像処理の種類に応じて、画像処理の結果が最も顕著に現れると判定される画像の一部分を拡大表示部分の位置に設定する画像比較ステップと、
前記表示装置に表示される拡大表示の部分を変更するために操作部材と、
前記画像比較ステップで画像処理の結果が最も顕著に現れると判定される画像の一部分を拡大初期位置として決定する拡大初期位置決定ステップと、
前記操作部材を操作したときの操作量に対応して、前記画像比較ステップを利用して画像処理の影響が大きいと判定された方から小さいと判定された方へかけて、順番に拡大表示の部分が変遷するよう画像表示を制御する画像表示制御ステップと、
を備えることを特徴とする画像処理方法。
【発明の詳細な説明】
【技術分野】
【０００１】
本発明は、撮影した画像データを画像処理して表示装置で表示する機能を備えたデジタルカメラ等に用いて好適な、画像処理装置及び画像処理方法に関する。
【背景技術】
【０００２】
近年のデジタル一眼レフカメラには、カメラ内の画像処理装置を利用して撮影した画像データに対してさまざまな画像の加工、補正、修正等を行なえるものがある。
【０００３】
このようなデジタル一眼レフカメラでは、パーソナルコンピュータ（ＰＣ）と異なり、大画面の表示装置が利用できないが、その一方で撮像素子の高画素化により画像の加工を画像全体に対してより細密に行えるようになっている。このため、このデジタル一眼レフカメラでは、小さな表示装置で、細密な画像処理の結果を確認するために、画像の一部を拡大表示して見る必要があり、画像を全体的に確認するため拡大領域を移動させることが必須となっている。
【０００４】
従来の画像処理装置には、画像修正のために画像を表示する際に、第１の画像と、この第１の画像に所望の画像修正を施した第２の画像とを、同一の表示位置に所定時間内に切替えて表示する。これにより、画像修正を行う際に、所望の修正具合を判断でき、適切な画像処理を行え、所望通りに修正された画像が得られるようにしたものが提案されている（例えば、特許文献１参照）。
【０００５】
また、従来の電子機器には、補正対象画像から、特徴的な領域を抽出するものが提案されている。この電子機器では、選択された補正機能が対象とする画像成分を最も多く含む第１の特徴領域と、選択された補正機能が対象とする画像成分が最も少ない第２の特徴領域とを、特徴領域抽出部で抽出する。そして、対象画像の全体図と、第１の特徴領域についての補正済み画像の拡大図と、第２の特徴領域についての補正済み画像の拡大図とを表示画面上に並べて表示する（例えば、特許文献２参照）。
【先行技術文献】
【特許文献】
【０００６】
【特許文献１】特開２００３−２８１５６２号公報
【特許文献２】特開２００９−０１６９８５号公報
【発明の概要】
【発明が解決しようとする課題】
【０００７】
上述のような従来の画像処理装置では、元の画像と、画像修正後の画像とを、同一の表示位置に所定時間内に切替えて表示するものであり、画像の一部を拡大表示するものではない。また、画像処理により大きく変化した箇所を拡大して詳細に確認する手段が無い。
【０００８】
また、従来の電子機器では、画像の補正の効果が最大の領域を選択し、画像の補正の効果が最小の領域の拡大画像を並べて表示するものである。しかし、カメラのように表示装置が小さい場合には、２つの領域を並べて表示すると、それぞれの画像が小さくなり、視認が困難となる。さらに、画像処理前後の同一領域を拡大比較するすべが無い。また、拡大表示する領域を選択するために移動できないので、画像の全体的な確認ができないという問題がある。
【０００９】
本発明の目的は、画像処理の効果を、小さな表示装置であっても必要な領域の画像を拡大表示して詳細に確認できるようにする。これと共に、画像上の領域を変更して拡大表示する操作を容易に行え、画像処理が行われたところを移動しながら広く確認することが可能な画像処理装置及び画像処理方法を提供することにある。
【課題を解決するための手段】
【００１０】
上記目的を達成するために、本発明の画像処理装置は、選択された画像加工方式で画像処理を行う画像処理手段と、前記画像処理手段で画像処理後の画像の一部分を、表示装置に大きく表示する拡大表示手段と、前記画像処理手段による画像処理の種類に応じて、画像処理の結果が最も顕著に現れると判定される画像の一部分を拡大表示部分の位置に設定する画像比較手段と、前記表示装置に表示される拡大表示の部分を変更するために操作部材と、前記画像比較手段で画像処理の結果が最も顕著に現れると判定される画像の一部分を拡大初期位置として決定する拡大初期位置決定手段と、前記操作部材を操作したときの操作量に対応して、前記画像比較手段を利用して画像処理の影響が大きいと判定された方から小さいと判定された方へかけて、順番に拡大表示の部分が変遷するよう画像表示を制御する画像表示制御手段と、を備えることを特徴とする。
【００１１】
上記目的を達成するために、本発明の画像処理装置は、選択された画像加工方式で画像処理を行う画像処理ステップと、前記画像処理ステップで画像処理後の画像の一部分を、表示装置に大きく表示する拡大表示ステップと、前記画像処理ステップによる画像処理の種類に応じて、画像処理の結果が最も顕著に現れると判定される画像の一部分を拡大表示部分の位置に設定する画像比較ステップと、前記表示装置に表示される拡大表示の部分を変更するために操作部材と、前記画像比較ステップで画像処理の結果が最も顕著に現れると判定される画像の一部分を拡大初期位置として決定する拡大初期位置決定ステップと、前記操作部材を操作したときの操作量に対応して、前記画像比較ステップを利用して画像処理の影響が大きいと判定された方から小さいと判定された方へかけて、順番に拡大表示の部分が変遷するよう画像表示を制御する画像表示制御ステップと、を備えることを特徴とする。
【発明の効果】
【００１２】
本発明によれば、小さな表示装置であっても、画像処理後の画像上の必要な領域の画像を拡大表示して詳細に確認できる。これと共に、画像上の領域を変更して拡大表示する操作を容易に行え、画像処理が行われたところを移動しながら広く確認することができるという効果がある。
【図面の簡単な説明】
【００１３】
【図１】本発明の実施の形態に関わるデジタルカメラの要部の構成を示すブロック図である。
【図２】本発明の実施の形態のデジタルカメラにおける画像処理後に画像表示を行う場合の動作の手順を示すフローチャートである。
【図３】本発明の実施の形態に関わるデジタルカメラにおいて、中央演算処理装置が画像加工方式に対応して実行する処理を参照するための表である。
【発明を実施するための形態】
【００１４】
以下、本発明の実施の形態に係わる画像処理装置としてのデジタルカメラについて、図面を参照して説明する。
【００１５】
本実施の形態に係わるデジタルカメラの要部の構成を示す図１のブロック図において、１０１は、比較的小型の液晶表示装置（ＴＦＴ）であり、１０２は、中央演算処理装置（ＣＰＵ）である。
【００１６】
この液晶表示装置１０１は、撮影時に被写体を表示し、画像処理の効果を確認する際に画像の所定領域が拡大表示される。
【００１７】
また、中央演算処理装置１０２は、このデジタルカメラにおける制御全般を司ると共に、画像処理手段及び画像比較処理手段としての機能を備える。
【００１８】
本実施の形態に係わるデジタルカメラは、操作部材としての電子ダイヤル１０３（ＤＩＡＬ）を備える。
【００１９】
さらに、このデジタルカメラは、カメラ本体に装着された十字キーや拡大・縮小ボタン、メニューボタン、再生ボタン、セットボタン、表示切り替えボタンの操作を検知するための電気接点（ＳＷＩＴＣＨＥＳ）１０４を備える。
【００２０】
これらの操作ボタン類は、使用者が、デジタルカメラの一般的な操作を行うためのもので、画像の再生表示や拡大表示、各種設定の変更等に利用する。これらの電気接点（ＳＷＩＴＣＨＥＳ）１０４を備えた操作ボタン類は、使用者に操作されて、制御プログラムで動作する中央演算処理装置１０２に指令を入力することにより、画像選択手段、加工方式選択手段として機能する。
【００２１】
このデジタルカメラでは、操作ボタンの電気接点１０４から入力された指令信号に基づいて中央演算処理装置１０２が液晶表示装置１０１に画像の所要領域を拡大表示する拡大表示手段が構成される。
【００２２】
このデジタルカメラは、画像を記録しておく記憶装置（ＳＴＯＲＡＧＥ）１０５を備える。
【００２３】
このデジタルカメラの制御部は、中央演算処理装置１０２が実行するプログラムや参照する固定データを記憶するＲＯＭ（Ｒｅａｄ  Ｏｎｌｙ  Ｍｅｍｏｒｙ）１０７を備える。さらに、この中央演算処理装置１０２には、ＲＡＭ（Ｒａｎｄｏｍ  Ａｃｃｅｓｓ  Ｍｅｍｏｒｙ）１０６が接続されており、画像処理に利用されると共に、拡大位置情報の記憶等にも利用される。
【００２４】
このデジタルカメラでは、光学系１０３で結像された被写体像を、撮像素子（ＣＭＯＳ）１０８によって電気信号に変換し、中央演算処理装置１０２へ送信する。すると、中央演算処理装置１０２は、画像データに変換しオリジナル画像（ＯＲＩＧＩＮＡＬ）１０９として、記憶装置（ＳＴＯＲＡＧＥ）１０５に記録する。
【００２５】
このデジタルカメラでは、中央演算処理装置１０２が画像処理を実行する際に、記憶装置（ＳＴＯＲＡＧＥ）１０５からオリジナル画像（ＯＲＩＧＩＮＡＬ）１０９を読み出す。そして、中央演算処理装置１０２は、オリジナル画像１０９を加工するためにＲＡＭ１０６上に、元の画像である加工前画像（ＢＥＦＯＲＥ）１１０として展開する。
【００２６】
また、中央演算処理装置１０２は、画像処理を施した後の加工した画像である加工後画像（ＡＦＴＥＲ）１１１を、ＲＡＭ１０６に記憶させる。
【００２７】
この中央演算処理装置１０２は、予め固定データとしてＲＯＭ１０７に格納されていたものを読み込んで得たテーブル（ＴＡＢＬＥ）１１２をＲＡＭ１０６上に展開する。このテーブル（ＴＡＢＬＥ）１１２は、画像の各種加工方式と、それに対応した処理関数、拡大初期位置を求める処理、拡大位置の移動を行なう処理をまとめた表である。なお、中央演算処理装置１０２が、このテーブル（ＴＡＢＬＥ）１１２を、ＲＡＭ１０６上で直接参照するように構成しても良いが、ＲＡＭ１０７に置くことで動的に変更することを可能にしている。このＲＡＭ１０６に展開されたテーブル（ＴＡＢＬＥ）１１２は、拡大表示位置決定手段を構成するためのものである。また、ＲＡＭ１０６に展開されたテーブル（ＴＡＢＬＥ）１１２、加工前画像（ＢＥＦＯＲＥ）１１０、加工後画像（ＡＦＴＥＲ）１１１は、画像比較手段を構成するためのものである。
【００２８】
次に、テーブル（ＴＡＢＬＥ）１１２の詳細について、図３を参照して具体的に説明する。
【００２９】
このテーブル（ＴＡＢＬＥ）１１２は、中央演算処理装置１０２が実行する処理を表にしたものである。このテーブル（ＴＡＢＬＥ）１１２では、各行の先頭に、加工方式を識別するための項目を設定する。この加工方式を識別するための項目の表記は、文字列である必要はなく、列挙子により定まる値で表記してもよい。なお、テーブル（ＴＡＢＬＥ）１１２を動的に変更する必要がない場合には、各加工方式が何行目であるかを決めることで、この項目を省略してもよい。
【００３０】
このテーブル（ＴＡＢＬＥ）１１２では、加工方式を識別するための項目に続けて、Ｃ言語でいう関数ポインタが設定されている。すなわち、このテーブル（ＴＡＢＬＥ）１１２では、加工方式を識別するための項目に続けて順に、加工処理関数のポインタ（画像加工方式）、拡大初期位置決定関数のポインタ、拡大位置移動関数のポインタが配置されている。
【００３１】
この拡大初期位置決定関数は、拡大表示位置を決定するためのものである。この拡大位置移動関数は、次の拡大位置を求めるためのものである。
【００３２】
次に、このデジタルカメラにおいて、画像処理後に画像表示を行う場合の動作の手順について、図２のフローチャートを参照して説明する。
【００３３】
このデジタルカメラでは、画像処理後に液晶表示装置１０１に、画像処理済画像が最初拡大されていない状態で画像表示される。さらに、このデジタルカメラでは、表示された画像の拡大、縮小及び拡大位置移動の操作が可能に構成されている。なお、このデジタルカメラでは、拡大位置移動の上下左右方向への移動操作を、十字キーの操作でも行えるように構成されているが、その説明を省略し、電子ダイヤル操作で行なう加工方式に応じた拡大位置移動について説明する。
【００３４】
このデジタルカメラでは、中央演算処理装置１０２が、画像処理後に液晶表示装置１０１に画像処理済画像を拡大していない画像を表示した後、使用者による画像の拡大又は縮小の指令を待つ。このため、中央演算処理装置１０２は、拡大ボタンの押し操作の検出ステップＳ２０１、電子ダイヤルの回転操作の検出ステップＳ２０７及び縮小ボタン押し操作の検出ステップＳ２０９を行う。
【００３５】
そして、中央演算処理装置１０２は、拡大ボタンの押し操作が検出されないとき（ステップＳ２０１でＮＯ）及び電子ダイヤルの回転操作が検出されないとき（ステップＳ２０７でＮＯ）。これと共に、中央演算処理装置１０２は、縮小ボタン押し操作が検出されないとき（ステップＳ２０９でＮＯ）に、拡大していない画像表示の表示更新処理（ステップＳ２１３）を実行して待機する。
【００３６】
また、中央演算処理装置１０２は、拡大ボタンの押し操作が検出されたと判別した場合（ステップＳ２０１でＹＥＳ）に、そのとき表示している画像の拡大状態を判定する（ステップＳ２０２）。ここで、画像表示の直後の場合は、表示画像が拡大されていないので、中央演算処理装置１０２が拡大状態でないと判別し（ステップＳ２０２でＮＯ）ステップＳ２０３へ進み、拡大初期位置決定の処理を行う。
【００３７】
この拡大初期位置決定の処理で、中央演算処理装置１０２は、図３に示すテーブル１１２から画像加工方式に基づいて拡大初期位置決定関数を呼び出し、拡大初期位置を求める。
【００３８】
次に、中央演算処理装置１０２は、拡大状態遷移の処理により、表示を拡大状態に遷移して（ステップＳ２０４）、次のステップＳ２０７へ進む。
【００３９】
また、前述したステップＳ２０２で、中央演算処理装置１０２は、拡大状態であると判別した場合（ステップＳ２０２でＹＥＳ）に拡大倍率を増加させる処理を実行する。そして、中央演算処理装置１０２は、拡大倍率が最大となる範囲内で拡大倍率を増加させる（ステップＳ２０５）。
【００４０】
次に、中央演算処理装置１０２は、拡大位置調整の処理により拡大位置を調整し（ステップＳ２０６）次のステップＳ２０７へ進む。この拡大位置の調整の処理は、画像の端の方に拡大初期位置があった場合に、拡大率を上げていったとき拡大初期位置が拡大表示領域に含まれるようにするものである。
【００４１】
次に、中央演算処理装置１０２は、電子ダイヤル回転検知の処理により、電子ダイヤルが使用者に回転操作されたことを検知する（ステップＳ２０７）。そして、中央演算処理装置１０２は、電子ダイヤルの回転操作が行なわれたことを検知した場合（ステップＳ２０７でＹＥＳ）に、次のステップＳ２０８へ進み拡大位置移動処理を実行し、次のステップＳ２０８へ進む。
【００４２】
この拡大位置移動処理”では、図３に示すテーブル１１２から画像加工方式に基づき拡大位置移動関数を呼び出して次の拡大位置を決定する。なお、このデジタルカメラでは、電子ダイヤルの正転逆転が可能に構成されているので、逆転したときに拡大位置を戻せるよう位置の履歴が記憶される。
【００４３】
次に、中央演算処理装置１０２は、縮小ボタン押し検知の処理により、縮小ボタンが使用者に押し操作されたことを検知する（ステップＳ２０９）。そして、中央演算処理装置１０２は、縮小ボタンが使用者に押し操作されたことを検知した場合（ステップＳ２０９でＹＥＳ）に、次のステップＳ２１０へ進み倍率が１より小さくならない範囲で、拡大倍率を減少させる。
【００４４】
次に、中央演算処理装置１０２は、拡大率＝１であるか否かを判定する（ステップＳ２１１）。ここで、中央演算処理装置１０２が、拡大率＝１であると判定した場合（ステップＳ２１１でＹＥＳ）には、拡大状態から縮小ボタン押しで等倍に戻ったときや、拡大していないのに縮小ボタンを押したときに拡大率が１となる。この拡大率＝１であると判定した場合（ステップＳ２１１でＹＥＳ）に、ステップＳ２１２へ進み、中央演算処理装置１０２は、等倍状態遷移処理をして等倍表示の状態に遷移させ、ステップＳ２１３へ進む。
【００４５】
また、中央演算処理装置１０２が、拡大率＝１でないと判定した場合（ステップＳ２１１でＮＯ）には、ステップＳ２１３へ進む。
【００４６】
次に、ステップＳ２１３では、中央演算処理装置１０２が表示更新処理を行って、変化した拡大倍率や拡大位置に応じて画像表示を実行し、ステップＳ２０１へ戻る。そして、中央演算処理装置１０２は、次の使用者による画像の拡大又は縮小の指令を待つ。
【００４７】
次に、このデジタルカメラにおいて、図３に登録されている画像加工方式に応じた拡大初期位置決定の処理と拡大位置移動処理について説明する。
【００４８】
中央演算処理装置１０２は、加工方式が「倍率色収差補正」であると判別した場合に、画像を加工処理関数「画像処理３０１」により加工する。この加工方式の場合の拡大初期位置決定関数は「初期位置３０１」で、倍率色収差の特徴として画像の周辺部分で輝度差が大きな個所に色のにじみが生じることを利用して初期位置を決定する。すなわち、中央演算処理装置１０２は、加工前の画像１１０“ＢＥＦＯＲＥ”と加工後の画像１１１“ＡＦＴＥＲ”のデータを比較し、色と輝度の差が大きくデータの差分が大きい領域を拡大初期位置とする。
【００４９】
また、この加工方式の場合の拡大位置移動関数は「移動先３０１」であり、「初期位置３０１」で得られた初期位置を除いた領域から同様のアルゴリズムで差分が大きい領域を次の位置として決定する。
【００５０】
次に、加工方式が「ソフトフォーカス」の場合には、画像が「画像処理３０２」によって加工される。この「画像処理３０２」では、非点収差で生じるような、輝度のピークを周辺に拡散したような処理を行なう。ソフトフォーカスの場合の「初期位置３０２」は、この特徴を利用して、ソフト量に応じた空間周波数でコントラストがある程度ついた領域で加工前後の画像を比較し、差分データの大きな位置を拡大初期位置として決定する。
【００５１】
このソフトフォーカスの場合の「移動先３０２」は、同様のアルゴリズムで初期位置に次いで差分データの大きい領域を次の位置として決定する。
【００５２】
次に、加工方式が「ミニチュア」の場合に、中央演算処理装置１０２は、「画像処理３０３」により加工する。この「画像処理３０３」では、画像の中心水平線を基準として、画像の上下端に向かうにつれフォーカスがボケていくような加工を行なう。この「初期位置３０３」では、加工前後の画像の中心水平線付近で、コントラストの高い領域が低コントラストになっている個所が初期位置とされる。
【００５３】
また、加工方式がミニチュアの場合には、ミニチュア効果を得るに不適切な全体にコントラストの低いボケた画像が加工される場合に備えて、加工前後の画像の比較でコントラスト変化が乏しいときに、画像中心を初期位置とする。
【００５４】
この加工方式がミニチュアの場合の「移動先３０３」は、他の拡大位置移動関数と異なり、次の位置を求めるのに加工前後の画像を参照しない。このミニチュアの場合の「移動先３０３」は、電子ダイヤル回転方向に応じて、中心水平線上で初期位置から左右に移動した領域を次の位置として決定する。
【００５５】
次に、加工方式が「トイカメラ」の場合には、「画像処理３０４」により加工される。この「画像処理３０４」では、画像の中心から周辺に向けて明るさと解像度とを低下させ、全体にカラーバランスを偏らせる処理を行なう。
【００５６】
この加工方式がトイカメラの場合の「初期位置３０４」は、「画像処理３０４」の特徴を利用し、加工前後の画像の四隅を比較し、差分の多い個所を拡大初期位置とする。このトイカメラの場合の「移動先３０４」は、電子ダイヤル回転に合わせて四隅の各隅位置が順番に次の位置とされる。四隅を一巡したら５箇所目として画像の中心を次の位置とする。
【００５７】
次に、加工方式が「ラフモノクロ」の場合に、中央演算処理装置１０２は、「画像処理３０５」により加工する。この「画像処理３０５」は、画像をモノクロ化し、コントラストを上げるとともに銀塩フィルムの粒状感を模したノイズを加える処理を行なう。
【００５８】
この加工方式がラフモノクロの場合の「初期位置３０５」では、加工後の画像から、階調が中間付近で、拡大領域内での明暗周期が１〜数回程度のコントラスト変化がある位置が拡大初期位置とされる。
【００５９】
このラフモノクロの場合の「移動先３０５」は、電子ダイヤルの回転に応じて、階調を中間付近からより明るく、または暗くずらし、「初期位置３０５」のアルゴリズムを利用して次の位置を決定する。
【００６０】
次に、加工方式が「クロスフィルタ」の場合には、中央演算処理装置１０２が「画像処理３０６」により加工する。この「画像処理３０６」では、画像の中の輝点を検知し、輝点の大きさに応じた十字の輝点を配置する。このとき、中央演算処理装置１０２は、十字の輝点を配置した位置を記憶しておく。そして、中央演算処理装置１０２は、「初期位置３０６」を決定するに際し、「画像処理３０６」で記憶した輝点位置を参照し、より多くの輝点が含まれる位置を拡大初期位置として決定する。また、中央演算処理装置１０２は、「移動先３０６」を、同様のアルゴリズムにより、初期位置に次いで輝点が多く含まれる領域を次の位置として決定する。
【００６１】
次に、加工方式が「ぼかしズーム」の場合に、中央演算処理装置１０２は、「画像処理３０７」により加工する。この「画像処理３０７」では、画像の中心から周辺に向けて画像を流すような処理を行なう。ぼかしズームの場合の初期位置３０７は、画像の中心を拡大初期位置とする。ぼかしズームの場合の移動先３０７では、中央演算処理装置１０２が、電子ダイヤルの回転方向に応じて画像の中心から渦巻上に周辺に向けて移動する位置を、次の位置とする。
【００６２】
次に、加工方式が「レンズフレア」の場合に、中央演算処理装置１０２は、「画像処理３０８」により加工する。この「画像処理３０８」では、画像に予め決まったレンズフレア状の模様を加える処理を行なう。レンズフレア模様は一般的に画像に斜めに加えられる。このため、加工方式がレンズフレアの場合の「初期位置３０８」は、レンズフレア模様の一方の端（大きなフレアのある端）がある領域が拡大初期位置とされる。中央演算処理装置１０２は、「移動先３０８」を、レンズフレア模様の他方の端に向けて拡大領域が移動していくように、次の位置を決定する。
【００６３】
以上説明したように、このデジタルカメラでは、図３に示す画像加工方式に応じた拡大初期位置決定の処理と拡大位置移動処理を行う。これにより、このデジタルカメラでは、カメラ本体の表示部材で加工後の画像を確認するための拡大表示と位置の移動を、煩わしい操作をすることなく行なえる。
【００６４】
要するに、本実施の形態に係わるデジタルカメラでは、中央演算処理装置１０２が使用者に選択された画像加工方式で画像処理を行う。また、このデジタルカメラの中央演算処理装置１０２は、画像処理後の画像における画像の一部分を拡大して、液晶表示装置１０１に表示する拡大表示手段を備える。
【００６５】
この中央演算処理装置１０２は、画像処理の種類に応じて、画像処理の結果が最も顕著に現れると想定される画像の一部分を初期位置に設定する初期位置設定手段としての機能を備える。
【００６６】
さらに、この中央演算処理装置１０２は、選択された画像加工方式による画像処理の種類に応じて画像処理の結果が顕著に現れる画像の各部分を、画像処理の影響が大きいと判定された方から小さいと判定された方へかけて順次選択して序列を付ける。この序列は、画像処理の結果を確認するための拡大表示用の優先順位の序列となる。
【００６７】
この中央演算処理装置１０２は、使用者が、拡大表示の部分を変更するために操作部材を操作したときの操作量に対応して、拡大表示用の優先順位の序列に従って、画像処理の結果を確認するための拡大表示の部分を変遷させて、画像表示を行う。
【００６８】
このように、このデジタルカメラでは、全画面表示から画像の拡大表示をするにあたり、拡大時の初期位置を画像処理の種類に応じて決定する。このため、カメラの小さな表示装置を利用していても、画像を拡大表示することにより、画像処理の効果を容易に確認できる。これと共に、このデジタルカメラでは、簡便な操作により適切な位置の拡大表示をさせることができる。
【００６９】
また、このデジタルカメラは、画像の一部分を拡大して表示する際に、拡大初期位置を決定し、さらに、拡大表示用の優先順位の規範（アルゴリズム）に則って次に移動する拡大表示部分の位置を決定するための画像表示制御手段を備える。
【００７０】
この画像表示制御手段は、中央演算処理装置１０２によって実現される。この中央演算処理装置１０２は、中央演算処理装置１０２における画像比較手段の機能と相俟って画像表示制御を実行する。画像比較手段としての中央演算処理装置１０２は、図１に示す加工前の画像１１０“ＢＥＦＯＲＥ”と加工後の画像１１１“ＡＦＴＥＲ”のデータを比較し、色と輝度の差が大きいためデータの差分が最も大きい領域を拡大初期位置として決定する。
【００７１】
また、この加工方式の場合の拡大位置移動関数は図３に示す「移動先３０１」である。中央演算処理装置１０２は、「初期位置３０１」で得られた初期位置を除いた領域から同様のアルゴリズムで差分が最も大きい領域を、拡大表示用の優先順位の規範に則って次に移動する拡大表示部分の位置として決定する。すなわち、中央演算処理装置１０２は、画像比較手段で拡大表示部分の位置が設定された後に、以前に拡大表示部分の位置として設定された領域を除いた領域を画像比較手段の判別対象とする。そして、再び画像処理手段により画像処理前の画像のデータと、画像処理後の画像のデータとを比較し、データの差分が最も大きい領域と判定される画像の一部分を拡大表示部分の位置に設定する。このようにして、画像表示制御手段としての中央演算処理装置１０２は、順次、拡大表示用の優先順位の規範（アルゴリズム）に則って次に移動する拡大表示部分の位置を決定する。
【００７２】
このように、このデジタルカメラは、画像の拡大表示位置を移動するときの操作についても、画像処理の種類に応じて自動的に拡大表示位置の移動先を決める処理を備えている。よって、このデジタルカメラによれば、使用者が、手動操作で拡大表示から全画面表示に戻し、画像処理前後の画像を目視で比較し、別の位置を拡大表示し直すための手間を省くことができる。
【００７３】
また、本発明は、以下の処理を実行することによっても実現される。すなわち、上述した実施形態の機能を実現するソフトウェア（プログラム）を、ネットワーク又は各種記憶媒体を介してシステム或いは装置に供給する。そして、そのシステム或いは装置のコンピュータ（またはＣＰＵやＭＰＵ等）が、このプログラムを読み出して実行する処理である。
【符号の説明】
【００７４】
１０１  液晶表示装置
１０２  中央演算処理装置
１０３  電子ダイヤル
【図１】
2012084986.tif 000003
【図２】
2012084986.tif 000004
【図３】
2012084986.tif 000005